(57)【特許請求の範囲】
【請求項１】
送信側において、
ディジタルラジオ放送のための音声信号を所定の符号化方式で符号化し、
上記符号化された音声信号のタイトル、上記符号化された音声信号の圧縮符号化および多重化に必要な情報、上記符号化された音声信号の再生に必要な情報を含む制御データを含む番組情報が割り当てられた複数のトランスポート・ストリーム・パケットが連続するトランスポート・ストリームを構成し、
当該構成されたトランスポート・ストリーム・パケットのペイロードには、
上記番組情報を示すパケット識別コードを含む、プログラムマップテーブルと、
上記番組情報に対応する上記プログラムマップテーブルのパケット識別コードを含む、プログラム関連付けテーブルと、
１つの音楽番組について、上記送信側で符号化した音声信号と、上記符号化された音声信号のタイトル、上記符号化された音声信号の圧縮符号化および多重化に必要な情報、上記符号化された音声信号の再生に必要な情報を含む制御データとが多重化され、かつ、各音楽番組について上述した多重化した符号化された音声信号とこの符号化された音声信号に対応する制御データとをさらに多重化した信号と、
がセクション形式で割り当てられており、
当該構成したトランスポート・ストリームを受信側に複数のチャンネルを用いて送信し、
受信側において受信した複数のチャンネルのうちの１つのチャンネルを選択して１のトランスポート・ストリームを再生するディジタルラジオ受信機であって、
当該ディジタルラジオ受信機は、
チャネル選択スイッチと、
番組選択スイッチと、
上記チャネル選択スイッチで選択されたチャンネル番号、および、上記番組選択スイッチで選択された番組番号を表示する表示部と、
上記送信側から送信された複数チャンネルのトランスポート・ストリームを受信する受信手段と、
同調器と、
伝送路復号器と、
トランスポート・ストリーム復号器と、
多重分離器と、
音声復号器と、
制御手段と
を有し、
上記制御手段は、上記チャネル選択スイッチの操作に応答して選択されたチャンネルの受信信号を上記同調器に出力し、
上記同調器は、上記受信手段において受信した複数のチャンネルの信号のうち、上記選択されたチャンネルに同調して選択されたチャンネルの信号を上記伝送路復号器に出力し、
上記伝送路復号器は、上記選択されたチャンネルの信号を伝送路復号して、複数のトランスポート・ストリーム・パケットからなる復号したトランスポート・ストリームを上記多重分離器に出力し、
上記多重分離器は、上記伝送路復号器から出力される上記トランスポート・ストリームを上記トランスポート・ストリーム復号器で復号された制御信号で指定された番組の番組情報を分解して、上記トランスポート・ストリーム復号器、上記音声復号器に出力し、
上記トランスポート・ストリーム復号器は、上記多重分離器において分離された、上記多重化されている符号化された音声信号のタイトル、符号化された音声信号の圧縮符号化および多重化に必要な情報、符号化された音声信号の再生に必要な情報を含む制御データを復号し、上記選択された番組の信号が上記多重分離器において分解されるように、上記制御信号を上記多重分離器に出力し、
上記トランスポート・ストリーム復号器は上記制御手段と協働して、
上記受信した音楽情報に含まれる制御データから上記プログラム関連付けテーブルを抽出し、
上記抽出したプログラム関連付けテーブルから上記伝送路復号器から上記多重分離器に入力された上記トランスポート・ストリームに含まれる番組の一覧を作成し、
上記作成された番組の一覧から上記番組選択スイッチによって選択された番組を抽出し、
上記多重分離器から出力された上記番組情報に含まれる、上記選択された番組に対する上記プログラムマップテーブルを解析し、上記選択された番組を構成する音声信号を特定し、
上記音声復号器は、上記多重分離器から入力された音声信号を上記番組情報に含まれる圧縮符号化情報で規定される上記符号化方式に対応する復号方式で復号する、
ディジタルラジオ受信機。
【請求項２】
前記トランスポート・ストリーム・パケットのアダプテーション領域には、クロック再生のためのプログラムクロックリファレンスのパケット識別コードが割り当てられており、
上記プログラム関連付けテーブルは、上記クロックを再生するためのプログラムクロックリファンスを示すパケット識別コードを含み、
当該ディジタルラジオ受信機は、クロック再生回路をさらに有し、
上記トランスポート・ストリーム復号器は上記制御手段と協働して、上記選択された番組に対応するプログラムクロックリファレンスのパケット識別コードを抽出し、
上記多重分離器において、上記抽出されたプログラムクロックリファレンスのパケット識別コードから、プログラムクロックリファンスを持つトランスポート・ストリーム・パケットを抽出し、
上記クロック再生回路は、上記抽出されたプログラムクロックリファレンスを用いてクロックを再生し、
上記再生されたクロックが当該ディジタルラジオ受信機の各部の動作タイミングクロックとして使用される、
請求項１記載のディジタルラジオ受信機。
【請求項３】
上記所定圧縮符号化方式はＭＰＥＧ−２方式であり、
上記音声復号器は、上記選択された番組の音声信号をＭＰＥＧ−２方式で復号・再生する、
請求項１または２に記載のディジタルラジオ受信機。
【請求項４】
上記チャンネル選択スイッチは、チャネルの番号を増加させるチャネル増加指示スイッチであり、
上記番組選択スイッチは、番組の番号を増加させる番組増加指定スイッチであり、
上記表示器は、
上記チャネルの番号を表示させる第１の数字表示器と、
上記番組の番号を表示させる第２の数字表示器と
を有し、
上記制御手段は、上記チャネル増加指示スイッチで選択されるたび上記チャネルの番号を増加させ、該増加させたチャネルの番号が許容されたチャネルの番号を越えたら、初期チャネルの番号にリセットし、
上記制御手段は、上記番組増加指示スイッチで選択されるたび上記番組の番号を増加させ、該増加させた番組の番号が許容された番組の番号を越えたら、初期番組の番号にリセットする、
請求項１〜３いずれかに記載のディジタルラジオ受信機。
【請求項５】
上記増加させたチャネルの番号および上記増加させた番組の番号を記憶する記憶手段をさらに有し、
当該ディジタルラジオ受信機の電源オン時、上記記憶手段に記憶した上記チャネルの番号および上記番組の番号に戻す
請求項４に記載ディジタルラジオ受信機。
【発明の詳細な説明】
【０００１】
【発明の属する技術分野】
本発明は、ビデオ信号（画像信号）、および／または、オーディオ信号（音声信号）の通信または放送における受信方法および受信装置に関する。
特に本発明は、圧縮符号化方式、たとえば、ＭＰＥＧ−２方式などで規定されるトランスポート・ストリームに含まれる複数番組から希望する番組を効率よく選択できる番組選択装置、番組選択装置に関する。
本発明はさらに、そのような番組選択方法および番組選択装置を適用して、選択された番組の圧縮符号化され多重化されたオーディオ信号を再生する、小型、軽量、携帯性、利便性に富み、低価格のディジタルラジオ受信機（受信装置）に関する。
【０００２】
【従来の技術】
近年、通信または放送の分野において、ビデオ信号や音声信号をディジタル化し、圧縮し、多重して伝送する技術が急速に実用化されている。
我が国ですでに実用化されている通信衛星（ＣＳ）ディジタル放送においては、圧縮符号化方式として、ＭＰＥＧ−２方式〔ＩＳＯ／ＩＥＣ１３８１８〕で規定されたトランスポート・ストリームを伝送路符号化し、放送している。また、平成１０年１１月、地上デジタル音声放送方式暫定方式（案）が策定され、現在大規模実験の準備が進んでいるが、本暫定方式も多重方式はＭＰＥＧ−２  Ｓｙｓｔｅｍｓ（ＩＳＯ／ＩＥＣ１３８１８−１）に準拠することとなっている。
【０００３】
図１６はそのようなトランスポート・ストリームを送出する送信機６００の構成を示す図である。送信機６００は、複数の番組（プログラム）についての音声信号、ビデオ信号、これらに関係するデータを圧縮符号化して多重化して、多重化信号をトランスポート・ストリームＴＳとして出力する。
送信機６００は、番組１について、音声信号１を圧縮符号化する音声信号符号化器６１１、ビデオ信号１を圧縮符号化するビデオ信号符号化器６１２を有する。送信機６００は、番組ｎについて、音声信号ｎを圧縮符号化する音声信号符号化器６２１、ビデオ信号ｎを圧縮符号化するビデオ信号符号化器６２２を有する。
【０００４】
音声信号符号化器６１１、６２１、および、ビデオ信号符号化器６１２、６２２は、ＭＰＥＧ−２方式〔ＩＳＯ／ＩＥＣ１３８１８−１〕などの圧縮符号化処理を行う。これらの符号化器で符号化された信号は、パケット化されたエレメンタリ・ストリームＰＥＳ（Ｐａｃｋｅｔｉｚｅｄ  Ｅｌｅｍｅｎｔａｒｙ  Ｓｔｒｅａｍ）形式のデータとして信号多重化器６３０に入力され、信号多重化器６３０において、システムクロックＣＬＯＣＫを参照して、図３（Ａ）に図解したトランスポート・ストリームＴＳとして送出される。
クロックＣＬＯＣＫは受信側において、再生されて受信側のクロックとして使用される。
【０００５】
番組１の音声信号１とビデオ信号１とは、たとえば、あるチャネルのＴＶ放送における音声信号とビデオ信号とのように相互に関連する信号である。データ１は、音声信号１とビデオ信号１の番組の内容、関連する音声信号とビデオ信号との符号化、多重化、伝送に際して必要となり、受信側における再生処理などを適切に行うための情報、たとえば、ビデオ信号と音声信号とのタイミング合わせのための情報などを含むデータである。このようなデータ１も、符号化された音声信号１、符号化されたビデオ信号１とともに多重化されて、伝送される。
番組ｎについても同様である。
【０００６】
図３（Ａ）に示したトランスポート・ストリームＴＳは、複数のトランスポート・ストリーム・パケットＴＳＰから構成される。
トランスポート・ストリーム・パケットＴＳＰは、１８８バイト固定長であり、４バイトのヘッダと１８４バイトの格納領域からなる。
ヘッダには、各々のトランスポート・ストリーム・パケットＴＳＰにはパケットの識別のための１３ビットのパケット識別（同定）コードＰＩＤ（Ｐａｃｋｅｔ  Ｉｄｅｎｔｉｆｉｃａｔｉｏｎ  Ｃｏｄｅ）が割り当てられている。
図３（Ｂ）〜（Ｄ）に図解したように、１８４バイトの格納領域は、ペイロードか、または、アダプテーションフィールドか、または、アダプテーションフィールドおよびペイロード、に割り当てられている。
ペイロードには主としてビデオ信号、音声信号のＰＥＳデータ、または、後述するプログラム関連付けテーブルＰＡＴ（Ｐｒｏｇｒａｍ  Ａｓｓｏｃｉａｔｉｏｎ  Ｔａｂｌｅ）、プログラムマップテーブルＰＭＴ（Ｐｒｏｇｒａｍ  Ｍａｐ  Ｔａｂｌｅ）等の情報がセクション形式で割り当てられる。
アダプテーションフィールドには、後述するクロック再生のためのプログラムクロックリファンスＰＣＲ（Ｐｒｏｇｒａｍ  Ｃｌｏｃｋ  Ｒｅｆｅｒｅｎｃｅ）等が割り当てられる。
【０００７】
このように、送信機６００から出力されるトランスポート・ストリームＴＳは複数の番組についてのビデオ信号、音声信号およびデータが多重されて構成される。
【０００８】
上述したトランスポート・ストリームＴＳを構成するトランスポート・ストリーム・パケットＴＳＰに挿入される（割り当てられる）、プログラム関連付けテーブルＰＡＴ、および、プログラムマップテーブルＰＭＴを図４（Ａ）、（Ｂ）を参照して述べる。
番組のビデオ信号、音声信号、これらに関連するデータ等および送信側のクロックを受信側で再生することを可能とするため、図３（Ｃ）、（Ｄ）に図解したように、プログラムクロックリファンスＰＣＲをトランスポート・ストリーム・パケットＴＳＰに挿入している。すなわち、番組を構成するこれらの情報は各々識別可能なパケット識別コードＰＩＤを持つ複数のトランスポート・ストリーム・パケットＴＳＰとして構成される。
【０００９】
受信機において多重分離を可能とするために、送信機６００において、多重情報も一緒にトランスポート・ストリームＴＳに多重されて伝送される。そのため、ＰＩＤ＝０ｘ００を持つ特別なトランスポート・ストリーム・パケットＴＳＰが存在する。この特別なトランスポート・ストリーム・パケットＴＳＰには、図４（Ａ）に図解したプログラム関連付けテーブルＰＡＴが含まれている。プログラム関連付けテーブルＰＡＴは、トランスポート・ストリームＴＳに含まれる番組と、それぞれの番組の構成情報（プログラムマップテーブルＰＭＴ）を含んでいるＴＳＰ・ＰＩＤの組の一覧を含んでいる。プログラムマップテーブルＰＭＴは、選択された番組を構成するビデオ信号、音声信号、プログラムクロックリファンスＰＣＲのＴＳＰ・ＰＩＤを含んでいる。
【００１０】
上述した記述から明らかなように、受信機において、１つのトランスポート・ストリームＴＳから希望する番組を選択するには、順次、プログラム関連付けテーブルＰＡＴ、プログラムマップテーブルＰＭＴなどを検索していく必要があり、複雑な処理が要求され、手間と時間がかかる。
さらに、プログラム関連付けテーブルＰＡＴ、プログラムマップテーブルＰＭＴなどの内容を検索するには、受信機に液晶などの表示装置を設け、そこにそれらの情報を表示させ、さらに表示したものを選択するための選択指示装置か必要になり、そのような装置を受信機に設けると、受信機が大型化し、電力消費も大きくなり、携帯性に欠けることになる。
【００１１】
さらに地上波放送またはＣＳディジタル放送においては、チャンネル数が多く、したがって、番組数も相当数となり、視聴者（利用者）が希望する番組を選択する特別な方法として、たとえば、ＥＰＧ（Ｅｌｅｃｔｒｉｃ  ＰｒｏｇｒａｍＧｕｉｄｅ）が提案されている。しかしながら、地上波放送またはＣＳディジタル放送におけるＥＰＧを用いた番組選択方法には下記に述べる問題がある。
【００１２】
地上波放送またはＣＳディジタル放送では、上述したプログラム関連付けテーブルＰＡＴに加えて、図５に図解した、ネットワーク情報テーブルＮＩＴ（Ｎｅｔｗｏｒｋ  Ｉｎｆｏｒｍａｔｉｏｎ  Ｔａｂｌｅ）が定義されている。
図４（Ａ）に図解したプログラム関連付けテーブルＰＡＴが該当するトランスポート・ストリームに関する番組情報を含んでいるのに対し、図５に図解したネットワーク情報テーブルＮＩＴはネットワーク、すなわち、関連するチャンネルの情報、換言すれば、チャンネルの周波数および番組番号とチャンネルの対応に関する情報を含んでいる。なお、番組番号はネットワークを通して一義的に定義されている。すなわち、地上波放送またはＣＳディジタル放送では、トランスポート・ストリームごとに番組番号を割り当てるのではなく、ネットワーク全体において、一義的に番組番号を割り当てている。
【００１３】
図１７および図１８を参照して地上波放送またはＣＳディジタル放送における番組選択の手順を示す（平成７年度電気通信技術審議会答申  諮問第７４号「デジタル放送方式に係わる技術的条件」のうち、１２．２から１２．７５ＧＨｚを使用する衛星デジタル放送方式（２７ＭＨｚ帯域幅を使用するもの）の技術的条件を参照）。
【００１４】
ステップ１０１において利用者が受信機の電源をオンにする。その後、ステップ１０２において利用者は希望する任意のチャンネルを指定する。その結果、受信機は指定されたチャンネルのトランスポート・ストリームＴＳを再生する（Ｓ１０２Ａ）。
【００１５】
その後、ステップ１０３において利用者は希望する番組を選択する。受信機はそれに応答して、受信機内の多重分離器で、受信したトランスポート・ストリームＴＳから分離したされたＰＩＤ＝０ｘ００のトランスポート・ストリーム・パケットＴＳＰから、図４（Ａ）に図解したプログラム関連付けテーブルＰＡＴを抽出し、トランスポート・ストリームＴＳに含まれる番組一覧を作成する。プログラム関連付けテーブルＰＡＴから抽出した番組一覧の中に利用者が選択した番組が含まれていれば、ステップ１０５の処理に移行する。
【００１６】
選択された番組がプログラム関連付けテーブルＰＡＴから抽出した番組一覧に存在しない場合は、下記のサーチ処理を行う。
ステップ１１３において、プログラム関連付けテーブルＰＡＴから抽出したＮＩＴ ＰＩＤ（図４（Ａ）を用いて、受信機の多重分離器（図示せず）で分離されたＰＩＤ＝ＮＩＴ・ＰＩＤのトランスポート・ストリーム・パケットＴＳＰからネットワーク情報テーブルＮＩＴを抽出する。
ステップ１１４において、ステップ１０３で選択された番組が含まれているチャンネルを抽出する。
ステップ１１５において抽出されたチャンネルのトランスポート・ストリームＴＳを再生する。
【００１７】
ステップ１０５において、プログラム関連付けテーブルＰＡＴを用いて作成した番組一覧から、選択された番組に対応するＰＭＴ・ＰＩＤを抽出する。
ステップ１０６において、抽出したプログラムマップテーブルＰＭＴの解析を行い、ステップ１０７において選択された番組に対応するＰＣＲ・ＰＩＤを抽出し、ステップ１０８においてクロックを再生する。
【００１８】
ステップ１０９において選択された番組に対応するＡＵＤＩＯ・ＰＩＤを抽出し、ステップ１１０において抽出したＡＵＤＩＯ・ＰＩＤについて音声の再生が行われる。
同様に、ステップ１１１において選択された番組に対応するＶＩＤＥＯ・ＰＩＤを抽出し、ステップ１１２において抽出したＶＩＤＥＯ・ＰＩＤについてのビデオ信号再生が行われる。
【００１９】
ステップ１１２において再び番組選択が行われると、ステップ１０３の処理から反復する。
【００２０】
上記の処理手順にしたがって、視聴者（利用者）は希望する番組を、テレビ画面に表示される放送予定表、番組説明等の番組情報を参照することによって選択し（指定し）、対応する番組番号を受信機に設けられたカーソルキーやリモコン等を用いて受信機に入力する。なお、表示された番組情報については、特にチャンネルを意識することはなく、視聴者は希望する番組の番組番号のみを選択すればよい。
【００２１】
受信機はプログラム関連付けテーブルＰＡＴを参照し、指定された番組番号が現在受信中のトランスポート・ストリームＴＳに含まれているか検索する。受信中のトランスポート・ストリームＴＳに視聴者が指定した番組番号が含まれていれば、該当するＰＭＴ・ＰＩＤを抽出し、プログラムマップテーブルＰＭＴを抽出・解析し、番組を構成するトランスポート・ストリーム・パケットＴＳＰを抽出し、番組を再生する。もし、受信中のトランスポート・ストリームＴＳに視聴者が指定した番組番号が含まれていなければ、受信機はプログラム関連付けテーブルＰＡＴからＮＩＴ・ＰＩＤを抽出し（図４（Ａ））、ネットワーク情報テーブルＮＩＴを抽出・解析し、選択した番組が含まれるチャンネルを抽出し、チャンネル切り替えを行う。以下、同様にして希望する番組の再生を行う。
【００２２】
【発明が解決しようとする課題】
上記の番組選択方法は、複数番組を含んでいるチャンネル番号を視聴者に意識させる必要がなく、希望する番組の番組情報だけを選択することによって、受信機が自動的にチャンネルを検索し、番組を抽出し、再生することができるという利点がある。したがって、このような方法は、非常に視聴者が親しみやすいという特徴を有する。
しかしながら、相当の情報を表示するため、大きな表示装置が不可欠であり、そのような表示装置に表示され情報を操作し、選択するための番組指示装置を必要とするという不利益を有している。
もちろん、受信機として、ＴＶ受像機のようにビデオ信号と音声信号との両者を再生する場合は、ビデオ信号の再生のための表示装置が活用できるから、上述した不利益は大きな問題とはならないと推定する。
【００２３】
しかしながら、現在検討が進められているディジタルラジオの受信機としては、ビデオ信号の再生処理は行わないから、小型、軽量、携帯性、低価格性の観点から、ビデオ信号の再生用の表示装置が受信機には設けられない。そうすると、上述したＥＰＧを、ディジタルラジオ受信機には適用できないという問題に遭遇する。
【００２４】
本発明は、上記の問題に鑑み、複数チャンネルを持つネットワークにおいて、複数番組からなるトランスポート・ストリームＴＳで伝送されるデータに対し、非常に簡易な方法で希望する番組を選択し、再生することを可能とする番組選択方法を提供することを目的とする。
また本発明はそのような番組選択方法を実施する番組選択装置を提供することを目的とする。
本発明はさらに、そのような番組選択方法音声信号番組選択装置を適用したディジタルラジオ受信機を提供することを目的とする。
【００２５】
【課題を解決するための手段】
本発明によれば、
送信側において、
ディジタルラジオ放送のための音声信号を所定の符号化方式で符号化し、
上記符号化された音声信号のタイトル、上記符号化された音声信号の圧縮符号化および多重化に必要な情報、上記符号化された音声信号の再生に必要な情報を含む制御データを含む番組情報が割り当てられた複数のトランスポート・ストリーム・パケットが連続するトランスポート・ストリームを構成し、
当該構成されたトランスポート・ストリーム・パケットのペイロードには、
上記番組情報を示すパケット識別コードを含む、プログラムマップテーブルと、
上記番組情報に対応する上記プログラムマップテーブルのパケット識別コードを含む、プログラム関連付けテーブルと、
１つの音楽番組について、上記送信側で符号化した音声信号と、上記符号化された音声信号のタイトル、上記符号化された音声信号の圧縮符号化および多重化に必要な情報、上記符号化された音声信号の再生に必要な情報を含む制御データとが多重化され、かつ、各音楽番組について上述した多重化した符号化された音声信号とこの符号化された音声信号に対応する制御データとをさらに多重化した信号と、
がセクション形式で割り当てられており、
当該構成したトランスポート・ストリームを受信側に複数のチャンネルを用いて送信し、
受信側において受信した複数のチャンネルのうちの１つのチャンネルを選択して１のトランスポート・ストリームを再生するディジタルラジオ受信機であって、
当該ディジタルラジオ受信機は、チャネル選択スイッチと、番組選択スイッチと、上記チャネル選択スイッチで選択されたチャンネル番号、および、上記番組選択スイッチで選択された番組番号を表示する表示部と、上記送信側から送信された複数チャンネルのトランスポート・ストリームを受信する受信手段と、同調器と、伝送路復号器と、トランスポート・ストリーム復号器と、多重分離器と、音声復号器と、制御手段とを有し、
上記制御手段は、上記チャネル選択スイッチの操作に応答して選択されたチャンネルの受信信号を上記同調器に出力し、
上記同調器は、上記受信手段において受信した複数のチャンネルの信号のうち、上記選択されたチャンネルに同調して選択されたチャンネルの信号を上記伝送路復号器に出力し、
上記伝送路復号器は、上記選択されたチャンネルの信号を伝送路復号して、複数のトランスポート・ストリーム・パケットからなる復号したトランスポート・ストリームを上記多重分離器に出力し、
上記多重分離器は、上記伝送路復号器から出力される上記トランスポート・ストリームを上記トランスポート・ストリーム復号器で復号された制御信号で指定された番組の番組情報を分解して、上記トランスポート・ストリーム復号器、上記音声復号器に出力し、
上記トランスポート・ストリーム復号器は、上記多重分離器において分離された、上記多重化されている符号化された音声信号のタイトル、符号化された音声信号の圧縮符号化および多重化に必要な情報、符号化された音声信号の再生に必要な情報を含む制御データを復号し、上記選択された番組の信号が上記多重分離器において分解されるように、上記制御信号を上記多重分離器に出力し、
上記トランスポート・ストリーム復号器は上記制御手段と協働して、
上記受信した音楽情報に含まれる制御データから上記プログラム関連付けテーブルを抽出し、
上記抽出したプログラム関連付けテーブルから上記伝送路復号器から上記多重分離器に入力された上記トランスポート・ストリームに含まれる番組の一覧を作成し、
上記作成された番組の一覧から上記番組選択スイッチによって選択された番組を抽出し、
上記多重分離器から出力された上記番組情報に含まれる、上記選択された番組に対する上記プログラムマップテーブルを解析し、上記選択された番組を構成する音声信号を特定し、
上記音声復号器は、上記多重分離器から入力された音声信号を上記番組情報に含まれる圧縮符号化情報で規定される上記符号化方式に対応する復号方式で復号する、
ディジタルラジオ受信機が提供される。
【００５３】
【発明の実施の形態】
本発明の番組選択方法、番組選択装置およびディジタルラジオ受信機の実施の形態を添付図面を参照して述べる。
【００５４】
伝送システム
図１は本発明の番組選択方法および番組選択装置が適用される伝送システムの構成図である。
図１に図解した伝送システムは、伝送路３を挟んで設けられた送信機１と、受信機２とを有する。
送信機１は、ｎ種のビデオ信号（画像データ）およびオーディオ信号（音声信号）を符号化して多重化し、多重化したビデオ信号および音声信号をトランスポート・ストリームＴＳとして伝送路３に送出する。送信機１における信号処理は、図１６を参照して述べたものと実質的に同じである。
受信機２はトランスポート・ストリームＴＳを受信して希望するチャネルの番組を再生する。
ただし、下記に述べる本実施の形態においては、音声信号（オーディオ信号）についてのみ処理する場合について述べる。
【００５５】
送信機
図２は複数の音楽番組を符号化し多重化してトランスポート・ストリームＴＳとして伝送路３に送出する送信機１の構成例を示す図である。
送信機１は、第１の音楽番組（番組１、プログラム１）の音声データＡＤ１を圧縮符号化する音声符号化器１２と、第ｎ目の音楽番組（番組ｎ、プログラムｎ）の音声データＡＤｎを圧縮符号化する音声符号化器１４と、多重化器（マルチプレクサ：ＭＵＸ）１６とを有する。
【００５６】
音声符号化器１２は第１の音声データＡＤ１を、たとえば、ＭＰＥＧ−２方式〔ＩＳＯ／ＩＥＣ１３８１８−１〕で圧縮符号し、圧縮符号化信号を多重化器１６に出力する。音声符号化器１４も第ｎの音声データＡＤｎを、たとえば、ＭＰＥＧ−２方式で圧縮符号し、圧縮符号化信号を多重化器１６に出力する。
上述したデータＤＡＴＡ１としては、図１６を参照して述べたと同様、音楽番組の内容（タイトル）、圧縮符号化、多重化に際して必要な情報、受信機２における再生に際して必要な情報などである。
なお、ＭＰＥＧ−２においては、多重化についてはＩＳＯ／ＩＥＣ１３８１８−１、画像データの圧縮についてはＩＳＯ／ＩＥＣ１３８１８−２、音声データの圧縮についてはＩＳＯ／ＩＥＣ１３８１８−３に規定されている。
【００５７】
多重化器１６は音声符号化器１２からの圧縮符号化音声データと、この音声データと関連する第１のデータＤＡＴＡ１とを入力して多重化する。同様に、多重化器１６は音声符号化器１４からの圧縮符号化音声データと、この音声データと関連する第ｎのデータＤＡＴＡｎとを入力して多重化する。さらに、多重化器１６は、それぞれの番組の多重化データをさらに多重化して、図３（Ａ）〜（Ｃ）に図解したように、トランスポート・ストリーム・パケットＴＳＰが連続するトランスポート・ストリームＴＳとして伝送路３に送出する。
【００５８】
トランスポート・ストリーム
本実施の形態において、ＭＰＥＧ−２方式〔ＩＳＯ／ＩＥＣ１３８１８−１〕を用いて符号化した方法を例示するので、トランスポート・ストリームＴＳは図３（Ａ）〜（Ｄ）に図解した形式でデータが伝送される。
図３（Ａ）〜（Ｄ）の内容については図１６を参照して述べたので、その詳細はここでは省略する。
トランスポート・ストリームＴＳは、複数のトランスポート・ストリーム・パケットＴＳＰからなっている。個々のトランスポート・ストリーム・パケットＴＳＰは、４バイトのヘッダと、１８４バイトのデータ格納部との合計、１８８バイトのサイズを有する。
ヘッダには１３ビットのパケット識別コードＰＩＤが挿入される。
データ格納部には、図３（Ｂ）に図解したように「ペイロード」が挿入される、図３（Ｃ）に図解したようにクロック再生などに使用するプログラムクロックリファンスＰＣＲ（Ｐｒｏｇｒａｍ  Ｃｌｏｃｋ  Ｒｅｆｅｒｅｎｃｅ）または「なし」、および、Ａｄａｐｔａｔｉｏｎが挿入される、または、図３（Ｄ）に図解したようにプログラムクロックリファンスＰＣＲまたは「なし」、Ａｄａｐｔａｔｉｏｎ、ペイロードが挿入される。
これらペイロードなどに、送信機１において、圧縮符号化され、多重化された音声信号、データなどが格納される。
プログラムクロックリファンスＰＣＲまたは「なし」の「なし」の意味は、クロック再生に使用するプログラムクロックリファンスＰＣＲは各トランスポート・ストリーム・パケットＴＳＰにおいて常に挿入される必要がないので、プログラムクロックリファンスＰＣＲが挿入されないトランスポート・ストリーム・パケットＴＳＰを意味する。
【００５９】
ＰＡＴ，ＰＭＴ，ＮＩＴ
図４（Ａ）はプログラム関連付けテーブルＰＡＴ（Ｐｒｏｇｒａｍ  Ａｓｓｏｃｉａｔｉｏｎ  Ｔａｂｌｅ）を示し、図４（Ｂ）はプログラムマップテーブルＰＭＴ（Ｐｒｏｇｒａｍ  Ｍａｐ  Ｔａｂｌｅ）を示す。
は図４（Ｂ）に図解したものとなる。
図５は、地上波放送またはＣＳディジタル放送の場合の、ネットワーク情報テーブルＮＩＴ（Ｎｅｔｗｏｒｋ  Ｉｎｆｏｒｍａｔｉｏｎ  Ｔａｂｌｅ）を示す。
図４〜図５に図解したプログラム関連付けテーブルＰＡＴ、プログラムマップテーブルＰＭＴおよびネットワーク情報テーブルＮＩＴは、図６を参照して後述する受信機２のトランスポート・ストリーム復号器１１３および多重分離器１０５において使用する。
図４（Ａ）、（Ｂ）、および、図５の内容については、図１７を参照して述べた番組選択方法において述べたので、ここではその説明を省略する。
【００６０】
受信機
図６は本発明の番組選択装置の実施の形態としての受信機の構成図である。
図６に図解した受信機２は、この実施の形態においては、音声再生のみ行い、画像データ（ビデオデータ）の再生は行わない。すなわち、受信機２は、本発明のディジタルラジオ受信機として機能する。
この受信機２の内部において、番組選択方法が遂行され、番組選択方法を行う番組選択装置が収容されている。
【００６１】
受信機２は、本発明のディジタルラジオ受信機の１実施の形態として構成されており、受信アンテナ１００、同調器（チューナ）１０１、伝送路復号器１０３、多重分離器（デマルチプレクサ）１０５、音声復号器１０７、出力増幅器１０９、音声再生器１１１、トランスポート・ストリーム（ＴＳ）復号器１１３、キー入力装置１１５、クロック再生回路１１９、制御手段１２１および表示装置１２５が図示のごとく接続されている。
制御手段１２１は受信機２の内部の全体的な制御処理を行うものであり、たとえば、マイクロコンピュータなどによって構成できる。
制御手段１２１は、下記に述べるように、番組選択装置の一部としても機能する。制御手段１２１において行われる方法が、番組選択方法の一部ともなる。
【００６２】
受信機２に受信アンテナ１００を用いているので、図１に図解した伝送路３は空中線である。すなわち、この実施の形態は、地上デジタル放送の場合を例示している。もちろん、本発明は伝送路３として地上波に限らず、通信／放送衛生、赤外線、有線であってもよい。ただし、以下の記述において、地上デジタル放送の場合を例示する。
【００６３】
キー入力装置１１５はチャネル選択および番組（プログラム）選択に使用する。
キー入力装置１１５で選択したチャネル、番組は、キー入力装置１１５に内蔵したキー入力制御手段（図示せず）から、または、キー入力装置１１５にキー入力制御手段を内蔵しないときは、制御手段１２１を介して、チャネル選択信号Ｓ１１７として同調器１０１に入力され、番組選択信号Ｓ１１６としてトランスポート・ストリーム復号器１１３に入力される。
以下の例では、キー入力装置１１５にはキー入力制御手段を設けず、制御手段１２１とキー入力装置１１５とで協動してチャネル選択、番組選択などを行う例について述べる。
キー入力装置１１５および制御手段１２１の詳細および種々の形態については、図９〜図１４を参照して後述するが、キー入力装置１１５は、チャネル選択および番組を行うことが可能な操作スイッチを有する。
【００６４】
受信アンテナ１００から入力した複数のチャネル信号のうち、同調器１０１は受信アンテナ１００で受信した複数のチャネルのうち、チャネル選択信号Ｓ１１７で指定されたチャネルを選択して同調する。
【００６５】
伝送路復号器１０３は、同調器１０１において同調され選択されたチャネル信号Ｓ１０２をチャネル復号し、必要に応じて誤り訂正などを行う。伝送路復号器１０３からは、図３（Ａ）〜（Ｄ）に図解した伝送路復号トランスポート・ストリームＳ１０４が出力される。
【００６６】
トランスポート・ストリーム復号器１１３と、多重分離器１０５と、制御手段１２１とが協動して、キー入力装置１１５で指定された番組に関連するデータを抽出する。
【００６７】
トランスポート・ストリーム復号器１１３は、キー入力装置１１５から入力した番組選択信号Ｓ１１６を参照して、多重分離器１０５で分離されたＰＡＴ、ＤＭＴ、ＮＩＴ、ＣＡＴからなる番組特定情報ＰＳＩ（Ｐｒｏｇｒａｍ  Ｓｐｅｃｉｆｉｃ  Ｉｎｆｏｒｍａｔｉｏｎ）Ｓｌ０６Ｂを復号して制御信号Ｓ１１４を復号し、多重分離器１０５に印加する。
多重分離器１０５は制御手段１２１と協動して、トランスポート・ストリーム復号器１１３で復号した制御信号Ｓ１１４を参照して、伝送路復号トランスポート・ストリームＳ１０４の多重化信号を分解して、図２の送信機１の多重化器（マルチプレクサ）１６に入力される前のもとの信号に分解する。分解された信号は、音声パケット化エレメンタリ・ストリーム（ＰＥＳ：ＰａｃｋｅｔｉｚｅｄＥｌｅｍｅｎｔａｒｙ  Ｓｔｒｅａｍ）データＳ１０６Ａ、クロックを再生するためのプログラムクロックリファンスＰＣＲ（Ｐｒｏｇｒａｍ  ＣｌｏｃｋＲｅｆｅｒｅｎｃｅ）データＳ１０６Ｂ、多重分離器１０５におけるデマルチプレクシングの制御データＳ１０６Ｃとなる。
【００６８】
音声復号器１０７は分離された音声ＰＥＳデータＳ１０６Ａを入力して、図２の送信機１における音声符号化器１２の処理と逆の処理を行い、送信機１に印加された元のアナログ音声信号Ｓ１０８に復号する。本実施の形態においては、音声符号化器１２においてＭＰＥＧ−２方式〔ＩＳＯ／ＩＥＣ１３８１８−３〕の符号化処理をしているので、音声復号器１０７はＭＰＥＧ−２方式に則した復号処理を行う。
出力増幅器１０９は復号されたアナログ音声信号Ｓ１０８を増幅して再生音声信号Ｓ１１０を音声再生器１１１に出力する。
音声再生器１１１は、ヘッドホン、スピーカなどに代表される音声再生装置である。
【００６９】
再生音声信号Ｓ１１０はクロックを再生するためのプログラムクロックリファンスＰＣＲデータＳ１０６Ｂから、たとえば、２７ＭＨｚのクロックを再生する。再生されたクロックは受信機２の各部の回路に使用される。
【００７０】
図７および図８を参照して本実施の形態の受信機２における番組再生動作の詳細を述べる。
図７は受信機２の番組再生動作を示すフローチャートである。
図８は受信機２の動作形態を示す図である。
【００７１】
図１７を参照して上述した方法との相違を述べる。
本実施の形態は、上述したようにビデオ信号の再生処理は行わないので、ビデオ信号の処理は図解していない。
本実施の形態は、図１７を参照して上述した方法とは異なり、チャネル（周波数）設定、番組（プログラム）設定方法が異なる。すなわち、上述した方法では、（ａ）番組選択情報からプログラム関連付けテーブルＰＡＴまたはネットワーク情報テーブルＮＩＴを用いて周波数（チャネル）を抽出して周波数を設定していたのに対し、本実施の形態では、（イ）チャンネル選択を行ってから、（ロ）そのチャネルのトランスポート・ストリームに含まれる番組の選択を直接行う。その結果として、番組の検索が容易になり、大型の表示装置を必要としない。
【００７２】
以下、図６に図解した受信機２の番組再生動作の詳細を図７および図８を参照して述べる。
【００７３】
ステップ１（Ｓ１）：電源投入
利用者（視聴者）は受信機２の電源をオンにする。これにより、受信機２の各部が給電されて、初期化され、動作が開始する。電源オンにより、制御手段１２１はＬＥＤなどの電源点灯ランプ（図示せず）を点灯させるので、受信機２が使用可能な状態であることが利用者に指示される。
【００７４】
ステップ２（Ｓ２）：チャネル選択指示
利用者はキー入力装置１１５を用いて希望するチャネル（周波数）を指定（選択）する。その結果、キー入力装置１１５で選択されたチャネルを示すチャネル選択信号Ｓ１１７が制御手段１２１から同調器１０１に出力される。
【００７５】
ステップ２Ａ（Ｓ２Ａ）：同調器、伝送路復号器の動作
同調器１０１は、受信アンテナ１００で受信した複数のチャネルのうち、チャネル選択信号Ｓ１１７で指定されたチャネル（周波数）に同調し、選択されたチャネルの信号Ｓ１０２を伝送路復号器１０３に出力する。
伝送路復号器１０３は同調され選択されたチャネル信号Ｓ１０２を復号し、誤り訂正等の処理を行い、図３（Ａ）に図解した複数のトランスポート・ストリーム・パケットＴＳＰからなる伝送路復号トランスポート・ストリームＳ１０４を多重分離器１０５に出力する。
【００７６】
ステップ３（Ｓ３）：番組選択指示
利用者はキー入力装置１１５を用いて希望する番組を指定する。その結果、制御手段１２１は番組選択信号Ｓ１１６をトランスポート・ストリーム復号器１１３に出力する。
【００７７】
ステップ４（Ｓ４）：プログラム関連付けテーブルＰＡＴの解析
トランスポート・ストリーム復号器１１３と制御手段１２１とが協動して、多重分離器１０５から分離されて出力された制御データＳ１０６Ｃを番組選択信号Ｓ１１６を参照して、制御データＳ１０６Ｃに含まれるプログラム関連付けテーブルＰＡＴを解析する。
多重分離器１０５は、トランスポート・ストリーム復号器１１３で復号された制御信号Ｓ１１４で指定された番組の信号を分解する。すなわち、多重分離器１０５は、図４（Ａ）に図解したように、特別のパケット識別コードＰＩＤ＝０ｘ００のトランスポート・ストリーム・パケットＴＳＰを分離し、制御データＳ１０６Ｃをトランスポート・ストリーム復号器１１３に出力する。
トランスポート・ストリーム復号器１１３は、多重分離器１０５から出力された制御データＳ１０６Ｃを復号し、制御手段１２１と協動して、番組選択信号Ｓ１１６で指定された番組の信号が多重分離器１０５で分解されるよう、制御信号Ｓ１１４を多重分離器１０５に出力する。すなわち、トランスポート・ストリーム復号器１１３と制御手段１２１とは、制御データＳ１０６Ｃからプログラム関連付けテーブルＰＡＴを抽出し、伝送路復号器１０３から多重分離器１０５に入力されたトランスポート・ストリームＴＳに含まれる番組の一覧を作成する。さらに、トランスポート・ストリーム復号器１１３と制御手段１２１とは、プログラム関連付けテーブルＰＡＴから抽出した番組一覧の中からステップ３においてキー入力装置１１５によって選択された番組を抽出する。
【００７８】
ステップ５（Ｓ５）：ＰＭＴ・ＰＩＤの抽出
トランスポート・ストリーム復号器１１３と制御手段１２１とは、多重分離器１０５から出力された分離された制御データＳ１０６Ｃの含まれる、図４（Ｂ）に図解した、選択された番組に対応するプログラムマップテーブルＰＭＴ（Ｐｒｏｇｒａｍ  Ｍａｐ  Ｔａｂｌｅ）のパケット識別コードＰＩＤ、ＰＭＴ・ＰＩＤを抽出する。
【００７９】
ステップ６（Ｓ６）：ＰＭＴの解析
トランスポート・ストリーム復号器１１３と制御手段１２１とは、図４（Ａ）に図解したプログラムマップテーブルＰＭＴの解析を行う。
【００８０】
ステップ７（Ｓ７）：ＰＣＲ・ＰＩＤの抽出
トランスポート・ストリーム復号器１１３と制御手段１２１とは協動して、選択された番組に対応するプログラムクロックリファンスＰＣＲのパケット識別コードＰＩＤ、ＰＣＲ・ＰＩＤを抽出する。
【００８１】
ステップ８（Ｓ８）：クロック再生
多重分離器１０５において、プログラムクロックリファンスＰＣＲのパケット識別コードＰＣＲ・ＰＩＤを用いて、トランスポート・ストリームＴＳからＰＣＲ・ＰＩＤを持つトランスポート・ストリーム・パケットＴＳＰを抽出する。
クロック再生回路１１９は、抽出されたトランスポート・ストリーム・パケットＴＳＰに含まれるプログラムクロックリファンスＰＣＲ（図３（Ｂ））を用いて、クロックを再生する。再生されたクロックは受信機１０の各部の動作タイミングクロックとして使用される。
【００８２】
ステップ９（Ｓ９）：ＡＵＤＩＯ・ＰＩＤの抽出
下記の動作は、ステップ７〜８と同時的に行われる。
多重分離器１０５は制御手段１２１と協動して、選択された番組に対応する音声パケット識別コード、ＡＵＤＩＯ・ＰＩＤを抽出する（図４（Ｂ））。多重分離器１０５において、ＡＵＤＩＯ・ＰＩＤを用いてトランスポート・ストリームＴＳからＡＵＤＩＯ・ＰＩＤを持つトランスポート・ストリーム・パケットＴＳＰを抽出し、抽出されたトランスポート・ストリーム・パケットＴＳＰのペイロードに割り当てられているパケット化されたエレメンタリ・ストリーム（ＰＥＳ）データを音声ＰＥＳデータＳ１０６Ａとして音声復号器１０７に出力する。
【００８３】
ステップ１０（Ｓ１０）：音声再生
音声復号器１０７は音声ＰＥＳデータＳ１０６Ａを、たとえば、ＭＰＥＧ−２方式で復号しアナログ音声信号Ｓ１０８として出力増幅器１０９に出力する。出力増幅器１０９で増幅された再生音声信号Ｓ１１０は音声再生器１１１で再生される。
【００８４】
ステップ１０において、再びキー入力装置１１５を用いたキー入力があり、（ａ）そのキー入力がチャネル選択指示の場合ばステップ２の処理に移行し、（ｂ）そのキー入力が番組選択の場合はステップ３の処理へ移って上述した処理が反復される。
【００８５】
以上のように、本実施の形態においては、（イ）チャンネル選択を行ってから、（ロ）そのチャネルのトランスポート・ストリームに含まれる番組の選択を行う。通常、利用者は、自分が頻繁に選択したいチャネルおよび番組を記憶している場合が多い。したがって、キー入力装置１１５を用いて、上述した方法でチャネル選択を行い、さらに、番組選択を行うと、希望する番組の音声（オーディオ）の再生が簡単かつ容易に実現できる。
上述した本実施の形態のチャネル選択、番組選択には、上述した方法のように、表示装置を用いて、（ａ）番組選択情報からプログラム関連付けテーブルＰＡＴまたはネットワーク情報テーブルＮＩＴを用いて周波数（チャネル）を抽出して周波数を設定する必要がないので、本実施の形態の受信機２は装置構成が簡単になり、利用者の操作方法も簡単になる。
【００８６】
図９〜図１５を参照して下記に上述した受信機２の種々の具体例を述べる。
【００８７】
受信機の第１の具体例
図９は受信機２の第１の具体例としての受信機２Ａ、すなわち、ディジタルラジオ受信機を示す図であり、受信機２Ａの外観のうち、特に、キー入力装置１１５の部分を示している。
図９に図解した受信機２Ａの筐体（ケース）内部に、図６に図解した、受信アンテナ１００、同調器１０１、伝送路復号器１０３、多重分離器１０５、音声復号器１０７、出力増幅器１０９、トランスポート・ストリーム復号器１１３、クロック再生回路１１９が収容されており、筐体の外部にはヘッドホンなどの音声再生器１１１とキー入力装置１１５が露出している。
なお、受信アンテナ１００が内蔵アンテナの場合、受信機１０の筐体の内部に収容されるが、露出アンテナの場合は、受信機１０の筐体の外部に露出する。
【００８８】
キー入力装置１１５は、チャンネル指定スイッチ２０１、番組指定スイッチ２０３、たとえば、３桁のチャンネル（ＣＣＣ）および３桁の番組（ＰＰＰ）を表示するチャネルおよび番組表示装置２０５を有する。
このチャネルおよび番組表示装置２０５が、図６に図解した表示装置１２５に相当する。
【００８９】
チャンネル指定スイッチ２０１は制御手段１２１に接続されており、１度押される度に制御手段１２１はチャンネルを１つずつ増加する。具体的に言えば、制御手段１２１は、チャンネル指定スイッチ２０１が押される度、内部メモリのチャネル値を増加していく。最高チャンネルに到達した後は、制御手段１２１は更新したメモリ内のチャネル番号をリセットし、最低チャンネルに戻す。すなわち、チャンネル指定スイッチ２０１と制御手段１２１とが協動して、サイクリックにチャネルを選択可能にしている。
新たなチャネル番号の選択があったとき、制御手段１２１は選択されたチャネル番号を同調器１０１に出力する。したがって、同調器１０１は制御手段１２１から新たなチャネル指定があることを示すチャネル選択信号Ｓ１１７が入力されるたび、図６および図７を参照して述べたチャネル選択および同調動作を行う。
【００９０】
番組指定スイッチ２０３も制御手段１２１に接続されており、番組指定スイッチ２０３と制御手段１２１とが協動して、上述したチャンネル指定スイッチ２０１と制御手段１２１と同様、サイクリックに番組を選択可能にしている。すなわち、番組指定スイッチ２０３が１度押される度に、制御手段１２１が内部メモリの番組値を増加していく。選択されているトランスポート・ストリームＴＳに含まれている最高番組に到達した後は、制御手段１２１は、内部メモリの番組値を選択されているトランスポート・ストリームＴＳに含まれている最低番組に戻すようにリセットする。
新たな番組の選択があったとき、制御手段１２１は選択された番組番号をトランスポート・ストリーム復号器１１３に出力する。したがって、トランスポート・ストリーム復号器１１３および多重分離器１０５は新たな番組指定があることを示す番組選択信号Ｓ１１６がキー入力制御手段から入力されるたび、図６および図７を参照して述べた番組選択動作を行う。
【００９１】
なお、上述したチャネル設定および番組設定結果は、制御手段１２１の内部メモリに記憶されており、電源投入直後の初期状態には、電源がオフになる直前のチャネル番号および番組番号が復活するようにしておくことができる。このようなチャネル値の記憶、および番組値の記憶は下記に述べる実施の形態についても同様である。
【００９２】
図６の表示装置１２５に相当するチャネルおよび番組表示装置２０５は、たとえば、最大３桁のチャネル番号ＣＣＣを表示するための３桁の数字表示器と、たとえば、最大３桁の番組番号ＰＰＰを表示するための３桁の数字表示器とで構成している。
チャネルおよび番組表示装置２０５を構成する数字表示器の１桁の表示器の例を図１０に図解する。この数字表示器は、縦方向および横方向に合計７セグメントＳ１〜Ｓの部分表示部を有し、表示すべき数字に対応した表示パターンのセグメント部分に対応するランプまたは発光ダイオード（ＬＥＤ）などを点灯させるだけの簡易な表示器である。
図１１に１桁の数字表示１〜０の例を示す。
このような構成のキー入力装置１１５を有する受信機２（ディジタルラジオ受信機）は非常に低価格で製造できる。
【００９３】
事前に制御手段１２１の内部メモリに、チャネルに対する放送事業者名などの文字情報と、番組に対する番組名称などを登録しておき、チャネルおよび番組表示装置２０５を電卓、ポケットベル、携帯電話機などに使用されている小型の液晶表示器などを用い、その液晶表示器に、選択したチャネルに対応する放送事業者などの文字情報、選択した番組に対応する番組名称などの文字情報を表示することもできる。この場合、受信機２（ディジタルラジオ受信機）には、小型の液晶が設けられる。
この場合、利用者は液晶を介して番組表示として放送された文字記号を表示することもできる。
【００９４】
このように文字表示器でチャネルおよび番組表示装置２０５を構成した受信機２Ａは、図１０および図１１を参照して述べた数字表示器を用いた場合に比較して、利用者はチャネル確認および番組確認が容易になる。
【００９５】
図９を参照した述べた受信機２Ａは、キー入力装置１１５として、チャンネル指定スイッチ２０１、番組指定スイッチ２０３、および、チャネルおよび番組表示装置２０５を設けるだけで、チャネル選択、番組選択が可能となる。図９に図解したキー入力装置１１５の構成は非常に簡単であるから、非常に小型に低価格で実現できる。また携帯性に優れており、電力消費も少ない。
【００９６】
受信機の第２の具体例
図１２は受信機２の第２の具体例としての受信機２Ｂを示す図であり、受信機２Ｂの外観のうち、特に、図６に図解したキー入力装置１１５部分を示している。
図１２に図解した受信機２Ｂの筐体内部に、図９に図解した受信機２Ａと同様、図６に図解した、受信アンテナ１００、同調器１０１、伝送路復号器１０３、多重分離器１０５、音声復号器１０７、出力増幅器１０９、トランスポート・ストリーム復号器１１３、クロック再生回路１１９が収容されており、筐体外部には音声再生器１１１とキー入力装置１１５が露出している。
受信アンテナ１００は内蔵アンテナの場合、受信機１０の筐体の内部に収容されるが、露出アンテナの場合は受信機１０の筐体の外部に露出する。
【００９７】
キー入力装置１１５は、チャンネル数増加指定スイッチ３０１、チャンネル数減少指定スイッチ３０２、番組番号増加指定スイッチ３１１、番組番号減少指定スイッチ３１２を有する。
キー入力装置１１５はさらにチャネルおよび番組表示装置２０５を有する。チャネルおよび番組表示装置２０５は、図１０および図１１を参照して述べた、図９に図解したチャネルおよび番組表示装置２０５と同様であり、たとえば、３桁のチャンネル（ＣＣＣ）および３桁の番組（ＰＰＰ）を表示する。
【００９８】
チャンネル数増加指定スイッチ３０１は制御手段１２１に接続されており、１度押される度に制御手段１２１はチャンネルを１つずつ増加させる。具体的に言えば、制御手段１２１は、チャンネル数増加指定スイッチ３０１が押される度、内部メモリのチャネル値を増加していく。最高チャンネルに到達した後は、制御手段１２１は更新したメモリ内のチャネル番号をリセットし、トランスポート・ストリームＴＳに含まれている最低チャンネルに戻す。
チャンネル数減少指定スイッチ３０２も制御手段１２１に接続されており、１度押される度に制御手段１２１はチャンネルを１つずつ減少させる。具体的に言えば、制御手段１２１はチャンネル数減少指定スイッチ３０２が押される度、内部メモリのチャネル値を減少していく。最低チャンネルに到達した後は、制御手段１２１は更新したメモリ内のチャネル番号をリセットし、トランスポート・ストリームＴＳに含まれている最高チャンネルに戻す。
このように、チャンネル数増加指定スイッチ３０１、チャンネル数減少指定スイッチ３０２および制御手段１２１とが協動して、サイクリックにチャネル数を増減可能に構成されている。
【００９９】
新たなチャネル番号の選択があったとき、制御手段１２１は選択されたチャネル番号を図６に図解した同調器１０１に出力する。同調器１０１はキー入力制御手段から新たなチャネル指定があることを示すチャネル選択信号Ｓ１１７が入力されるたび、図６および図７を参照して述べたチャネル選択および同調動作と同様の動作を行う。
【０１００】
番組番号増加指定スイッチ３１１も制御手段１２１に接続されており、番組番号増加指定スイッチ３１１が１度押される度に、制御手段１２１が内部メモリの番組値を増加していく。選択されているトランスポート・ストリームＴＳに含まれている最高番組に到達した後は、制御手段１２１は内部メモリの番組値を選択されているトランスポート・ストリームＴＳに含まれている最低番組に戻るようにリセットする。
番組番号減少指定スイッチ３１２も制御手段１２１に接続されており、番組番号減少指定スイッチ３１２が１度押される度に、制御手段１２１が内部メモリの番組値を減少していく。選択されているトランスポート・ストリームＴＳに含まれている最低番組に到達した後は、制御手段１２１は内部メモリの番組値を選択されているトランスポート・ストリームＴＳに含まれている最高番組に戻るようにリセットする。
このように、チャンネル数増加指定スイッチ３０１、チャンネル数減少指定スイッチ３０２および制御手段１２１とが協動して、サイクリックに番組を増減可能に構成されている。
【０１０１】
新たな番組の選択があったとき、キー入力制御手段は選択された番組番号をトランスポート・ストリーム復号器１１３に出力する。トランスポート・ストリーム復号器１１３および多重分離器１０５は新たな番組指定があることを示す番組選択信号Ｓ１１６がキー入力制御手段から入力されるたび、図６および図７を参照して述べた番組選択動作を行う。
【０１０２】
チャネルおよび番組表示装置２０５は、図９、図１０および図１１を参照して述べたように、簡単な数字のみを表示する数字表示器でもよいし、文字表示可能な小型の液晶などでもよい。
【０１０３】
図１２を参照した述べた受信機２Ｂは、キー入力装置１１５として、チャンネル数増加指定スイッチ３０１、チャンネル数減少指定スイッチ３０２、番組番号増加指定スイッチ３１１、番組番号減少指定スイッチ３１２および番組表示装置２０５を設けるだけで、チャネル選択、番組選択が可能となる。
図９に図解した受信機２Ａと比較すると、図１２に図解した受信機２Ｂは、チャンネル数増加指定スイッチ３０１およびチャンネル数減少指定スイッチ３０２によって迅速にチャネルを選択可能となる。同様に、図１２に図解した受信機２Ｂは、番組番号増加指定スイッチ３１１および番組番号減少指定スイッチ３１２によって迅速にチャネルを選択可能となる。したがって、チャネル数、番組数が多いときは、図１２に図解した受信機２Ｂのほうが、図９に図解した受信機２Ａより選択速度は速くなる。
【０１０４】
受信機の第３の具体例
図１３は受信機２の第３の具体例としての受信機２Ｃを示す図であり、受信機２Ｃの外観のうち、特に、図６に図解したキー入力装置１１５部分を示している。
図１３に図解した受信機２Ｃの筐体内部に、図９および図１２を参照して述べたと同様、図６に図解した、受信アンテナ１００、同調器１０１、伝送路復号器１０３、多重分離器１０５、音声復号器１０７、出力増幅器１０９、トランスポート・ストリーム復号器１１３、クロック再生回路１１９が収容されており、筐体外部にはヘッドホンなどの音声再生器１１１とキー入力装置１１５が露出している。
受信アンテナ１００が内蔵アンテナの場合、受信機１０の筐体の内部に収容されるが、露出アンテナの場合は受信機１０の筐体の外部に露出する。
【０１０５】
キー入力装置１１５は、チャンネル数増加指定スイッチ４０１、番組番号増加指定スイッチ４０２、チャネル機能切替スイッチ４０３、番組機能切替スイッチ４０４を有する。
キー入力装置１１５はさらにチャネルおよび番組表示装置２０５を有する。チャネルおよび番組表示装置２０５は、図１０および図１１を参照して述べた、図９に図解したチャネルおよび番組表示装置２０５と同様であり、たとえば、３桁のチャンネル（ＣＣＣ）および３桁の番組（ＰＰＰ）を表示する。
【０１０６】
チャンネル数増加指定スイッチ４０１は複数のスイッチを有する。この例では、チャンネル数増加指定スイッチ４０１は５個のスイッチを有する。５個のスイッチはそれぞれの番号を示しており、あるスイッチを押すと、制御手段１２１がそのスイッチ操作に応答して、そのスイッチに対応するチャンネル番号を内部メモリに記憶する。
新たなチャネル番号の選択があったとき、制御手段１２１は選択されたチャネル番号を図６に図解した同調器１０１に出力する。同調器１０１はキー入力制御手段から新たなチャネル指定があることを示すチャネル選択信号Ｓ１１７が入力されるたび、図６および図７を参照して述べたと同様のチャネル選択および同調動作を行う。
【０１０７】
番組番号増加指定スイッチ４０２も複数のスイッチを有する。この例では、番組番号増加指定スイッチ４０２は５個のスイッチを有する。５個のスイッチはそれぞれの番号を示しており、あるスイッチを押すと、制御手段１２１はそのスイッチ操作に応答して、そのスイッチに対応する番組番号を内部メモリに記憶する。
新たな番組の選択があったとき、制御手段１２１は選択された番組番号をトランスポート・ストリーム復号器１１３に出力する。トランスポート・ストリーム復号器１１３および多重分離器１０５は新たな番組指定があることを示す番組選択信号Ｓ１１６が制御手段１２１から入力されるたび、図６および図７を参照して述べたと同様の番組選択動作を行う。
【０１０８】
チャンネル数がチャンネル数増加指定スイッチ４０１のスイッチの数より少なかった場合、または番組数が番組番号増加指定スイッチ４０２のスイッチの数より少なかった場合、または、チャンネル数、番組数が対応しないスイッチを押された場合は、制御手段１２１はもっとも小さい、あるいは、もっとも大きいチャンネルまたは番組を選択する。
【０１０９】
チャンネル数がチャンネル数増加指定スイッチ４０１のスイッチの数より多かった場合、チャネル機能切替スイッチ４０３を押すことにより、制御手段１２１はチャンネル数増加指定スイッチ４０１が示すチャンネルの内容を変化させ、チャンネル数増加指定スイッチ４０１のそれぞれのスイッチに対応したチャンネルを選択することを可能にする。
番組数が番組番号増加指定スイッチ４０２のスイッチの数より多かった場合、番組機能切替スイッチ４０４を押すことにより、制御手段１２１は番組番号増加指定スイッチ４０２が示す番組の内容を変化させ、たとえば、番組番号増加指定スイッチ４０２のスイッチ数の倍数ごとの数値（６〜１０、１１〜１５、以下同様）に変更し、番組番号増加指定スイッチ４０２のそれぞれのスイッチに対応した番組を選択することを可能にする。このとき、チャネル機能切替スイッチ４０３、番組機能切替スイッチ４０４が押されたときに、それぞれ、最高チャンネル、選択されているトランスポート・ストリームＴＳに含まれている最高番組に到達した後は、制御手段１２１はチャンネル数増加指定スイッチ４０１、番組番号増加指定スイッチ４０２の機能を、それぞれ、最低チャンネル、選択されているトランスポート・ストリームＴＳに含まれている最低番組を含む機能に変更する。
【０１１０】
チャンネル数増加指定スイッチ４０１内のスイッチを押した場合、チャンネル数に対応しない場合、制御手段１２１はチャンネル数増加指定スイッチ４０１の中でもっとも小さい、あるいは、もっとも大きいチャンネルを選択する。番組番号増加指定スイッチ４０２のスイッチを押した場合、番組数が対応しないとき、制御手段１２１は番組番号増加指定スイッチ４０２の現在の機能の中で、もっとも小さい、あるいは、もっとも大きい番組を選択する。
【０１１１】
チャネルおよび番組表示装置２０５は図９〜図１１を参照して述べたものと同様である。すなわち、チャネルおよび番組表示装置２０５は数字表示器でもよいし、小型の液晶などでもよい。
【０１１２】
第３の具体例の受信機２Ｃも簡単な構成である。
特に、第３の具体例の受信機２Ｃによれば、チャンネル数増加指定スイッチ４０１により希望するチャネル数を直接指定できる。また、番組番号増加指定スイッチ４０２により希望する番組が直接選択できる。したがって，チャネル数、番組数が多いときはその選択時間は迅速になる。
さらに第３の具体例の受信機２Ｃによれば、チャネル機能切替スイッチ４０３により、限られたスイッチ数のチャンネル数増加指定スイッチ４０１に係わらず、希望するチャネルを指定できる。同様に、番組機能切替スイッチ４０４により、限られたスイッチ数の番組番号増加指定スイッチ４０２に係わらず、希望する番組を指定できる。
【０１１３】
受信機の第４の具体例
図１４は受信機２の第４の具体例としての受信機２Ｄを示す図であり、受信機２Ｄの外観のうち、特に、図６に図解したキー入力装置１１５部分を示している。
図１４に図解した受信機２Ｄの筐体内部に、図９、図１２、図１３と同様、図６に図解した、受信アンテナ１００、同調器１０１、伝送路復号器１０３、多重分離器１０５、音声復号器１０７、出力増幅器１０９、トランスポート・ストリーム復号器１１３、クロック再生回路１１９が収容されており、筐体外部には音声再生器１１１とキー入力装置１１５が露出している。
受信アンテナ１００が内蔵アンテナの場合、受信機１０の筐体の内部に収容されるが、露出アンテナの場合は受信機１０の筐体の外部に露出する。
【０１１４】
キー入力装置１１５は、機能切替スイッチ５０１、表示項目選択スイッチ５０２、表示装置５１０を有する。
表示装置５１０は図解したチャネル数ＣＣＣ、および、番組を表示可能な、たとえば、液晶表示器などを使用する。
【０１１５】
機能切替スイッチ５０１は制御手段１２１と協動して表示項目選択スイッチ５０２の機能を切り換える。それにより、表示項目選択スイッチ５０２の指示内容が種々にできる。
表示項目選択スイッチ５０２は制御手段１２１と協動して表示装置５１０に表示される項目を選択する。ただし、表示項目選択スイッチ５０２で指示する内容は機能切替スイッチ５０１で切り換えられた内容となる。
表示装置５１０は、制御手段１２１からの指令によって、チャンネル、および／または、番組一覧を表示する。番組マーカー５１１は表示装置５１０に現在選択されている番組を示すマーカーである。
【０１１６】
機能切替スイッチ５０１が１回押される毎に、制御手段１２１は表示項目選択スイッチ５０２の機能を、チャンネル選択用と番組選択用に交互に切り替える。
制御手段１２１の動作を中心とする選択動作を図１６のフローチャートを参照して述べる。
【０１１７】
ステップ２０１において利用者が受信機２Ｄの電源をオンにし、ステップ２０２において利用者が機能切替スイッチ５０１を押すと、制御手段１２１は表示項目選択スイッチ５０２の機能を初期状態として、チャンネル選択機能となるように設定する。その後、制御手段１２１は多重分離器１０５およびトランスポート・ストリーム復号器１１３と協動して入手したチャネル一覧情報を表示装置５１０に表示する（ステップ５０３）。したがって、利用者はその後、表示装置５１０に表示されているチャネル一覧を参照することにより、チャネル選択することが容易になる。ステップ２０４において、利用者がチャネル選択機能に設定されている表示項目選択スイッチ５０２を押すと、制御手段１２１は選択されたそのチャンネルを選択する。
【０１１８】
ステップ２０５において利用者が機能切替スイッチ５０１を押すと、制御手段１２１は表示項目選択スイッチ５０２の機能を番組選択機能となるように設定する。その後、制御手段１２１は、多重分離器１０５、トランスポート・ストリーム（ＴＳ）復号器１１３と協動して入手した番組一覧情報を表示装置５１０に表示する（ステップ２０６）。それにより、利用者は表示装置５１０に表示されている番組一覧を参照して番組選択を行うことが容易になる。
なお、制御手段１２１は、表示装置５１０に番組一覧とともに、現在選択されているチャンネル番号を同時に表示することもできる。
ステップ２０７において利用者が表示項目選択スイッチ５０２を押すと、制御手段１２１は選択されたその番組を選択する。
【０１１９】
その後、チャンネルを変更する場合には、ステップ２０２の処理に移り、番組を変更する場合にはステップ２０５の処理に移る。
【０１２０】
以下、表示項目選択スイッチ５０２の操作を詳述する。
上述したチャネル選択に際し、または番組選択に際し、表示項目選択スイッチ５０２の中の、上下左右のスイッチＵ，Ｄ，Ｌ，Ｒに対応して、表示装置５１０のマーカーが上下左右に移動し、現在のマーカーを示す番組マーカー５１１が選択される。
ここで、表示装置５１０の表示領域に一度に表示できる内容をページと呼ぶこととする。
【０１２１】
表示装置５１０の最上段にマーカーがあるとき、表示項目選択スイッチ５０２の上方向のスイッチＵが押された場合には、制御手段１２１は、現在のページ、および、現在のマーカーの位置を保持するか、あるいは、最後のページを表示し、ページの最後、または、先頭にマーカーを移動する。
【０１２２】
表示装置５１０の最下段にマーカーがあるとき、表示項目選択スイッチ５０２の下方向のスイッチＤが押された場合には、制御手段１２１は現在のページ、および、現在のマーカーの位置を保持するか、あるいは、最初のページを表示し、ページの先頭、または、最後にマーカーを移動する。また制御手段１２１は最左列にマーカーの位置を保持するか、あるいは、最後のページを表示装置５１０に表示し、ページの最後、または、先頭にマーカーを移動する。
【０１２３】
表示装置５１０の最右列にマーカーがあるとき、右方向のスイッチＲが押された場合には、制御手段１２１は現在のページ、および、現在のマーカーの位置を保持するか、あるいは、表示装置５１０に最初のページを表示し、ページの先頭、または、最後にマーカーを移動する。
【０１２４】
表示装置５１０の最左列にマーカーがあるとき、表示項目選択スイッチ５０２の左方向のスイッチＬが押された場合には、制御手段１２１は現在のページ、および、現在のマーカーの位置を保持するか、あるいは、表示装置５１０に最後のページを表示し、ページの最後、または、先頭に、マーカーを移動する。
【０１２５】
表示装置５１０の最右列にマーカーがあるとき、右方向のスイッチＲが押された場合には、制御手段１２１は現在のページ、および、現在のマーカーの位置を保持するか、あるいは、表示装置５１０に最初のページを表示し、ページの先頭、または、最後にマーカーを移動する。
【０１２６】
表示装置５１０は比較的表示面積がある表示器であるから、チャネル一覧、番組一覧、タイトル表示などの他、請求項３０以降に示した種々の表示内容、種々の表示形態による表示が可能である。
【０１２７】
第４の具体例の受信機２Ｄも比較的簡単な構成である。
第４の具体例の受信機２Ｄによれば、表示装置５１０にチャネル、番組を数字、または、文字情報として表示できるから、利用者がチャネルおよび番組を認識し易い。
さらに、受信機２Ｄにおいては、機能切替スイッチ５０１と表示項目選択スイッチ５０２とでチャネルの増減、番組の増減を行うことができ、少ない数のスイッチでチャネルの指定および番組を指定ができる。
【０１２８】
第４の具体例の受信機２Ｄは、音声信号再生だけでなく、ビデオ信号の再生も行うような場合、特に、有効である。
【０１２９】
以上、本発明の番組選択方法、番組選択装置およびディジタルラジオ受信機の実施の形態の形態を述べたが、本発明の実施に際しては上述した実施の形態に形態に限定されず、種々の変形態様をとることができる。
たとえば、図２における送信機１における音声符号化器１２、１４においてＭＰＥＧ−２方式で音声信号を圧縮符号化し、図６に図解した音声復号器１０７においてＭＰＥＧ−２方式で伸長・復号する場合を述べたが、本発明は、上述した圧縮符号化、伸長復号化方式に限定されず、上述したトランスポート・ストリームの形式で伝送される音声信号について適用できる。
【０１３０】
図６を参照して上述した実施の形態は、地上波放送の場合を例示したが、本発明は、ＣＳディジタル放送、衛星放送または有線放送の場合でも、適用できる。有線放送の場合、図６に図解した受信アンテナ１００にかえて有線信号受信回路を設ける。
【０１３１】
なお、本発明の番組選択方法、番組選択装置はディジタルラジオ受信機に適用が限定されるだけでなく、ビデオ信号、または、ビデオ信号および音声信号の番組選択方法および番組選択装置にも適用できる。
【０１３２】
【発明の効果】
本発明の番組選択方法によれば、複数チャンネルを持つネットワークにおいて、複数番組からなるトランスポート・ストリームで伝送されるデータに対し、非常に簡易な方法で、迅速に、希望するチャネル、希望する番組を選択できる。
【０１３３】
本発明の番組選択装置、および、当該番組選択装置を有するディジタルラジオ受信機は、非常に簡易な方法で、迅速に希望するチャネル、希望する番組を選択し、音声データを再生できる。
さらに本発明の番組選択装置、および、当該番組選択装置を有するディジタルラジオ受信機は、小型、軽量であり、携帯性に富む。また電力消費も少ない。
さらに、本発明の番組選択装置およびディジタルラジオ受信機は製造が容易であり、低価格で製造できる。
【図面の簡単な説明】
【図１】図１は本発明の実施の形態の番組選択装置の全体構成図である。
【図２】図２は図１に示した送信機の構成図である。
【図３】図３（Ａ）〜（Ｄ）はトランスポート・ストリーム（ＴＳ）およびトランスポート・ストリームを構成するトランスポート・ストリーム・パケット（ＴＳＰ）のフォーマットを示す図である。
【図４】図４（Ａ）はプログラム関連付けテーブルＰＡＴの内容を示す図であり、図４（Ｂ）はプログラムマップテーブルＰＭＴの内容を示す図である。
【図５】図５はネットワーク情報テーブルＮＩＴの構成を示す図である。
【図６】図６は本発明の番組選択装置の実施の形態としての受信機の構成図である。
【図７】図７は図６に図解した受信機の動作を示すフローチャートである。
【図８】図８は図６に図解した受信機における情報の処理を示す形態図である。
【図９】図９は図６に図解した受信機の第１の形態の外観図である。
【図１０】図１０は図９に図解したチャネルおよび番組表示装置の数字表示器として、セグメント表示器の１桁を表示部分を示す図である。
【図１１】図１１は図１０に図解したセグメント表示器の数字表示パターンを示す図である。
【図１２】図１２は図６に図解した受信機の第２の形態の外観図である。
【図１３】図１３は図６に図解した受信機の第３の形態の外観図である。
【図１４】図１４は図６に図解した受信機の第４の形態の外観図である。
【図１５】図１５は図１４に図解した受信機の動作を示すフローチャートである。
【図１６】図１６は複数番組の音声信号とビデオ信号とを符号化し、多重化してトランスポート・ストリームとして出力する送信機の概略構成図である。
【図１７】図１７は図１６における番組選択方法を示すフローチャートである。
【図１８】図１８は図１７に図解した番組選択方法における情報の流れを示すグラフである。
【符号の説明】
１・・送信機
１２，１４・・音声符号化器
１６・・多重化器（マルチプレクサ）
２・・受信機
１００・・受信アンテナ
１０１・・同調器
１０３・・伝送路復号器１０３
１０５・・多重分離器（デマルチプレクサ）
Ｓ１０６Ａ・・分離された音声ＰＥＳデータ
Ｓ１０６Ｂ・・分離されたＰＣＲデータ
Ｓ１０６Ｃ・・分離された制御データ
１０７・・音声復号器
１０９・・出力増幅器
１１１・・音声再生器
１１３・・トランスポート・ストリーム復号器
１１５・・キー入力装置
Ｓ１１６・・番組選択信号
Ｓ１１７・・チャネル選択信号
１１９・・クロック再生回路
１２１・・制御手段
１２５・・表示装置
２０１・・チャンネル指定スイッチ
２０３・・番組指定スイッチ
２０５・・チャネルおよび番組表示装置
４０１・・チャンネル数増加指定スイッチ
４０２・・番組番号増加指定スイッチ
４０３・・チャネル機能切替スイッチ
４０４・・番組機能切替スイッチ
５０１・・機能切替スイッチ
５０２・・表示項目選択スイッチ
５１０・・表示装置
５１１・・番組マーカー
６００・・送信機
６１１・・音声信号符号化器
６１２・・ビデオ信号符号化器
６２１・・音声信号符号化器
６２２・・ビデオ信号符号化器
６３０・・信号多重化器
ＴＳ・・トランスポート・ストリーム
ＴＳＰ・・トランスポート・ストリーム・パケット
ＰＩＤ・・パケット識別コード
ＰＡＴ・・プログラム関連付けテーブル
ＰＡＳ・・プログラム関連付け区分
ＮＩＳ・・ネットワーク情報テーブル
ＰＭＴ・・プログラムマップテーブル
ＰＣＲ・・プログラムクロックリファンス
ＰＥＳ・・パケット化されたエレメンタリ・ストリーム
【図１】
0004345124.tif 000002
【図２】
0004345124.tif 000003
【図３】
0004345124.tif 000004
【図４】
0004345124.tif 000005
【図５】
0004345124.tif 000006
【図６】
0004345124.tif 000007
【図７】
0004345124.tif 000008
【図８】
0004345124.tif 000009
【図９】
0004345124.tif 000010
【図１０】
0004345124.tif 000011
【図１１】
0004345124.tif 000012
【図１２】
0004345124.tif 000013
【図１３】
0004345124.tif 000014
【図１４】
0004345124.tif 000015
【図１５】
0004345124.tif 000016
【図１６】
0004345124.tif 000017
【図１７】
0004345124.tif 000018
【図１８】
0004345124.tif 000019